(57)【要約】      （修正有）【課題】ネジ止め作業のバラツキにより生じる押さえ部材のがたつきや脱落が生じにくく、展示対象物の厚さの違いによる本体部に対する押さえ部材の係止力への直接的な影響を軽減できる低コストな額縁を提供する。【解決手段】額縁の本体部を構成する枠材２３の背面２３ａ側に、前面側が深さ方向となる所定深さの溝２８ｂを枠材の長さ方向に沿って形成し、押さえ部材５０の係止部５１を、溝２８ｂの対向する内壁に外周面が押されて弾性変形して溝２８ｂに嵌入されるように形成し、その係止部５１が溝２８ｂに嵌入された状態で係止部５１から裏板４０の背面に重なり合う位置まで延設された規制部５２により、裏板４０の背面側への移動を規制する。【選択図】図４
2020093062.tif 000002
【特許請求の範囲】
【請求項１】
枠状に形成され、展示対象物を透明板と裏板とで挟んだ状態で背面側から受け入れる本体部と、該本体部に受け入れた前記裏板の背面側への移動を規制する押さえ部材とを有し、前記展示対象物の一面側を前記本体部の前面側から視認できる状態に保持する額縁において、
前記本体部を構成する枠材の背面に、前面方向が深さ方向となる溝が前記枠材の長さ方向に沿って形成され、
前記押さえ部材は、前記溝の対向する内壁に外周面が押されて弾性変形して前記溝に嵌入可能な係止部と、前記係止部が前記溝に嵌入された状態で前記係止部から前記裏板の背面に重なり合う位置まで延設され、前記裏板の背面側への移動を規制する規制部とを備えていることを特徴とする額縁。
【請求項２】
前記溝は、前記本体部を構成する枠材の全長にわたって連続的に形成されていることを特徴とする請求項１記載の額縁。
【請求項３】
前記押さえ部材の前記係止部は、互いに離反した外周面の間隔が前記溝の幅より広い状態で対向する２つの接触片と、該２つの接触片の一端同士を連結する連結片とにより、略Ｕ字状に折り返された形状を有し、前記２つの接触片の外周面の間隔が弾性変形により前記溝の幅より狭くなる方向に弾性変形して前記溝に嵌入されるようになっており、
前記押さえ部材の前記規制部は、前記２つの接触片のうちの一方の接触片の他端側から他方の接触片の他端側の延長線と交差する方向に延設されていることを特徴とする請求項１または請求項２記載の額縁。
【請求項４】
略Ｌ字状に形成された基部と、該基部の一端側に設けられ、前記溝に嵌入可能な係止部と、前記基部の他端側に設けられたフックガイドとを有し、前記本体部を予め壁面に取り付けられたフックに掛止させるための壁掛け部材を備えたことを特徴とする請求項１〜３のいずれかに記載の額縁。
【請求項５】
前記壁掛け部材の前記係止部は、
前記基部の一端側に設けられ、前記溝の内壁に隙間のない状態で前記溝の幅より深い位置まで嵌入可能な主接触片と、前記主接触片の隣に並んだ状態で前記基部の一端側に設けられ、前記主接触片とともに前記溝に進入し、前記溝の一方の内壁に先端部を押されて前記溝の幅方向に弾性変形し、該弾性変形に応じた復帰力で前記溝から抜ける方向の移動を規制する副接触片とを有することを特徴とする請求項４記載の額縁。
【請求項６】
基部と、該基部の一端側に設けられ、前記溝に嵌入可能な係止部と、前記基部の他端側に設けられた脚部とを有し、前記本体部を卓上面で傾いた姿勢に保持するスタンドを備えたことを特徴とする請求項１〜３のいずれかに記載の額縁。
【請求項７】
前記スタンドの前記係止部は、
前記基部の一端側に設けられ、前記溝の内壁に隙間のない状態で前記溝の幅より深い位置まで嵌入可能な主接触片と、前記主接触片の隣に並んだ状態で前記基部の一端側に設けられ、前記主接触片とともに前記溝に進入し、前記溝の一方の内壁に先端部を押されて前記溝の幅方向に弾性変形し、該弾性変形に応じた復帰力で前記溝から抜ける方向の移動を規制する副接触片とを有することを特徴とする請求項６記載の額縁。
【請求項８】
前記押さえ部材の前記係止部の前記一方の接触片の外周面には高さが局所的に増加する高さ変化部が設けられ、該高さ変化部の前記溝の内壁に対する当接により、該溝に対する前記押さえ部材の係止を保持することを特徴とする請求項３記載の額縁。
【請求項９】
前記押さえ部材の前記係止部の前記一方の接触片の外周面には高さが局所的に変化する高さ変化部が設けられ、
前記溝の内壁には、前記押さえ部材の前記一方の接触片に設けられた前記高さ変化部と係合するように壁面の高さが変化する係合部が設けられ、前記高さ変化部と前記係合部との係合により、前記溝に対する前記押さえ部材の係止を保持することを特徴とする請求項３記載の額縁。
【請求項１０】
略Ｌ字状に形成された基部と、該基部の一端側に設けられ、前記溝に嵌入可能な係止部と、前記基部の他端側に設けられたフックガイドとを有し、前記本体部を予め壁面に取り付けられたフックに掛止させるための壁掛け部材を備え、
該壁掛け部材の前記係止部が、
前記基部の一端側に設けられ、前記溝の内壁に外周面を接する状態で前記溝に嵌入可能な複数の接触片を有しており、
該複数の接触片のうち、前記溝の前記係合部が設けられている内壁に外周面を接する接触片の外周面に、前記係合部に係合するように高さが変化する高さ変化部が設けられていることを特徴とする請求項９記載の額縁。
【請求項１１】
基部と、該基部の一端側に設けられ、前記溝に嵌入可能な係止部と、前記基部の他端側に設けられた脚部とを有し、前記本体部を卓上面で傾いた姿勢に保持するスタンドを備え、
該スタンドの前記係止部が、
前記基部の一端側に設けられ、前記溝の内壁に外周面を接する状態で前記溝に嵌入可能な複数の接触片を有しており、
該複数の接触片のうち、前記溝の前記係合部が設けられている内壁に外周面を接する接触片の外周面に、前記係合部に係合するように高さが変化する高さ変化部が設けられていることを特徴とする請求項９記載の額縁。
【発明の詳細な説明】
【技術分野】
【０００１】  本発明は、枠状に形成された本体部の背面側から、写真、絵画、賞状等のシート状の展示対象物を、その表面を保護するための透明板と裏板とで挟んだ状態で受け入れ、その背後から押さえ部材により裏板の背面側への移動を規制して、展示対象物の一面側を前面側から視認できる状態で保持し、これを壁に掛けたり卓上に置いた状態で観賞できるようにするための額縁において、本体部に対する押さえ部材の係止力を安定化し、また、低コスト化するための技術に関する。
【背景技術】
【０００２】  上記した基本的な構造の額縁に一般的に用いられている押さえ部材として、額縁の本体部を形成する枠材の背面に一端側がネジ止めされ、他端側が裏板の背面に当接する位置まで延びた構造を有するものが使用されている。この押さえ部材の場合、展示対象物を新たに装着する際には、押さえ部材の他端側が裏板と重ならない位置まで回転させて裏板を外し、新たな展示対象物を入れて（あるいは差し替えて）、その上に裏板を重ねてから、押さえ部材の他端側を裏板の背面に当接する位置まで回転させる。ここで、押さえ部材は本体部の枠材に対して自由に回転しない程度の適度な摩擦力を持ってネジ止めされているので、裏板の背面側への移動が常時規制された状態となる。【０００３】  しかし、この構造では、額縁の製造過程において、本体部の枠材の背面側に対する押さえ部材のネジ止めの作業が必要となる。この作業は、通常人手によるものであるためその工数分のコストが掛かるだけでなく、ネジ止め作業のバラツキにより、押さえ部材のがたつきや脱落等が生じやすい。【０００４】  一方、上記のような押さえ部材のネジ止め作業をせずに、裏板の背面側への移動を規制できる構造として、例えば図２６、図２７に示すように、額縁の本体部を形成する枠２の内周面２ａに深さ方向が外向きとなる溝３を長さ方向に沿って設け、その溝３に端部が挿入された押さえ部材４、５により、裏板７の背面を前方に押し付ける構造も知られている（特許文献１、２）。【０００５】  ここで、押さえ部材４は、図２６の（ａ）およびそれを矢印Ａ方向からみた図２６の（ｂ）に示しているように、帯板状で中央部が凹となるように湾曲していてその厚さ方向に弾性変形可能な形状となっており、額縁の本体部を形成する枠材２、２の端同士が連結されている部分の両側にある２つの溝３、３の内壁面（図２６の（ｂ）で上面側）に両端４ａ、４ｂがそれぞれ接するように挿入され、凹んだ中央部４ｃで裏板７の背面側を押す構造である。なお、図２６、図２７において、符号１は展示対象物、符号６は透明板である。【０００６】  また、図２７の押さえ部材５は、帯状板の一端側を略Ｊ字状に折り返した形状を有し、その折り返しされた一端５ａ側が、枠材２の内周面２ａに設けられた溝３に挿入され、折り返し部分から離間する方向に延びた他端５ｂ側で裏板７の背面側を前方に押す構造である。【０００７】  これらの構造は、額縁の本体部を形成する枠材２に対するネジ止め作業が不要であるので、上記したコスト面、ネジ止め作業のバラツキによる押さえ部材のがたつきや脱落等の問題が軽減される。
【先行技術文献】
【特許文献】
【０００８】
【特許文献１】実開平６−１８４９６３号公報
【特許文献２】特開２０１８−７５３５４号公報
【発明の概要】
【発明が解決しようとする課題】
【０００９】  しかしながら、図２６に示したように、額縁の背面側の隅部で裏板を押さえる構造では、隅部以外の位置を押さえることができず、裏板に撓みがある場合やサイズの大きな額縁に対応できず、隅部以外の中間部を押さえる機構が別個に必要となる。【００１０】  また、上記したように、枠材２の内周面２ａ側に設けた溝３に端部が挿入された押さえ部材４、５の中間部や端部で裏板７の背面側を前方に押し付ける構造の場合、押さえ部材４、５を本体部に係止させるための力の方向と、押さえ部材４、５が裏板７を押す方向とが同じであるから、押さえ部材４、５を本体部に係止させるための力が、展示対象物１の厚さの違いに直接的に影響を受けることになる。【００１１】  展示物対象物１の厚さは、例えば、写真のような０．３ｍｍ程度の薄いものからジクソーパズルのような２ｍｍ程度の厚いものまで変化するが、この違いに対して、本体部に対する押さえ部材４、５の係止力が大きく変化しないことが要求される。【００１２】  そのための手法として、従来では、重ね合わせ使用可能な同一厚さの裏板を複数枚用意（製品に付属）しておき、展示対象物１が薄い場合には、使用する裏板の枚数を多くし、展示対象物１が厚い場合には、使用する裏板の枚数を少なくする方法や、厚さの異なる複数枚の裏板を付属し、展示対象物１が薄い場合には厚い裏板を用い、展示対象物１が厚い場合には、薄い裏板を用いる方法等用いられているが、これらの方法では、予め複数枚の裏板を付属させる必要があり、コスト高になる。【００１３】  また、別の方法として、展示対象物１の厚さ変化に伴う裏板７の背面側から溝３の内壁までの距離の変化量が、押さえ部材４、５の最大の弾性変形量に対して十分小さくなるようにすることで、本体部に対する押さえ部材４、５の係止力の変化を抑制することも考えられる。【００１４】  しかし、この方法では、弾性変形量が大きい大型の押さえ部材が必要となり、それを収容するために溝３の幅を拡げなくてはならず、必然的に本体部の厚みが増してしまい、やはり、コスト高となる。【００１５】  本発明は、この課題を解決して、ネジ止め作業のバラツキにより生じる押さえ部材のがたつきや脱落が生じにくく、また、展示対象物の厚さの違いによる本体部に対する押さえ部材の係止力への直接的な影響を軽減できる低コストな額縁を提供することを目的としている。
【課題を解決するための手段】
【００１６】  前記目的を達成するために、本発明の請求項１記載の額縁は、
枠状に形成され、展示対象物を透明板と裏板とで挟んだ状態で背面側から受け入れる本体部と、該本体部に受け入れた前記裏板の背面側への移動を規制する押さえ部材とを有し、前記展示対象物の一面側を前記本体部の前面側から視認できる状態に保持する額縁において、
前記本体部を構成する枠材の背面に、前面方向が深さ方向となる溝が前記枠材の長さ方向に沿って形成され、
前記押さえ部材は、前記溝の対向する内壁に外周面が押されて弾性変形して前記溝に嵌入可能な係止部と、前記係止部が前記溝に嵌入された状態で前記係止部から前記裏板の背面に重なり合う位置まで延設され、前記裏板の背面側への移動を規制する規制部とを備えている。【００１７】  また、本発明の請求項２の額縁は、請求項１記載の額縁において、
前記溝は、前記本体部を構成する枠材の全長にわたって連続的に形成されていることを特徴とする。【００１８】  また、本発明の請求項３の額縁は、請求項１または請求項２記載の額縁において、
前記押さえ部材の前記係止部は、互いに離反した外周面の間隔が前記溝の幅より広い状態で対向する２つの接触片と、該２つの接触片の一端同士を連結する連結片とにより、略Ｕ字状に折り返された形状を有し、前記２つの接触片の外周面の間隔が弾性変形により前記溝の幅より狭くなる方向に弾性変形して前記溝に嵌入されるようになっており、
前記押さえ部材の前記規制部は、前記２つの接触片のうちの一方の接触片の他端側から他方の接触片の他端側の延長線と交差する方向に延設されていることを特徴とする。【００１９】  また、本発明の請求項４の額縁は、請求項１〜３のいずれかに記載の額縁において、
略Ｌ字状に形成された基部と、該基部の一端側に設けられ、前記溝に嵌入可能な係止部と、前記基部の他端側に設けられたフックガイドとを有し、前記本体部を予め壁面に取り付けられたフックに掛止させるための壁掛け部材を備えたことを特徴とする。【００２０】  また、本発明の請求項５の額縁は、請求項４記載の額縁において、
前記壁掛け部材の前記係止部は、
前記基部の一端側に設けられ、前記溝の内壁に隙間のない状態で前記溝の幅より深い位置まで嵌入可能な主接触片と、前記主接触片の隣に並んだ状態で前記基部の一端側に設けられ、前記主接触片とともに前記溝に進入し、前記溝の一方の内壁に先端部を押されて前記溝の幅方向に弾性変形し、該弾性変形に応じた復帰力で前記溝から抜ける方向の移動を規制する副接触片とを有することを特徴とする。【００２１】  また、本発明の請求項６の額縁は、請求項１〜３のいずれかに記載の額縁において、
基部と、該基部の一端側に設けられ、前記溝に嵌入可能な係止部と、前記基部の他端側に設けられた脚部とを有し、前記本体部を卓上面で傾いた姿勢に保持するスタンドを備えたことを特徴とする。【００２２】  また、本発明の請求項７の額縁は、請求項６記載の額縁において、
前記スタンドの前記係止部は、
前記基部の一端側に設けられ、前記溝の内壁に隙間のない状態で前記溝の幅より深い位置まで嵌入可能な主接触片と、前記主接触片の隣に並んだ状態で前記基部の一端側に設けられ、前記主接触片とともに前記溝に進入し、前記溝の一方の内壁に先端部を押されて前記溝の幅方向に弾性変形し、該弾性変形に応じた復帰力で前記溝から抜ける方向の移動を規制する副接触片とを有することを特徴とする。【００２３】  また、本発明の請求項８の額縁は、請求項３記載の額縁において、
前記押さえ部材の前記係止部の前記一方の接触片の外周面には高さが局所的に増加する高さ変化部が設けられ、該高さ変化部の前記溝の内壁に対する当接により、該溝に対する前記押さえ部材の係止を保持することを特徴とする。【００２４】  また、本発明の請求項９の額縁は、請求項３記載の額縁において、
前記押さえ部材の前記係止部の前記一方の接触片の外周面には高さが局所的に変化する高さ変化部が設けられ、
前記溝の内壁には、前記押さえ部材の前記一方の接触片に設けられた前記高さ変化部と係合するように壁面の高さが変化する係合部が設けられ、前記高さ変化部と前記係合部との係合により、前記溝に対する前記押さえ部材の係止を保持することを特徴とする。【００２５】  また、本発明の請求項１０の額縁は、請求項９記載の額縁において、
略Ｌ字状に形成された基部と、該基部の一端側に設けられ、前記溝に嵌入可能な係止部と、前記基部の他端側に設けられたフックガイドとを有し、前記本体部を予め壁面に取り付けられたフックに掛止させるための壁掛け部材を備え、
該壁掛け部材の前記係止部が、
前記基部の一端側に設けられ、前記溝の内壁に外周面を接する状態で前記溝に嵌入可能な複数の接触片を有しており、
該複数の接触片のうち、前記溝の前記係合部が設けられている内壁に外周面を接する接触片の外周面に、前記係合部に係合するように高さが変化する高さ変化部が設けられていることを特徴とする。【００２６】  また、本発明の請求項１１の額縁は、請求項９記載の額縁において、
基部と、該基部の一端側に設けられ、前記溝に嵌入可能な係止部と、前記基部の他端側に設けられた脚部とを有し、前記本体部を卓上面で傾いた姿勢に保持するスタンドを備え、
該スタンドの前記係止部が、
前記基部の一端側に設けられ、前記溝の内壁に外周面を接する状態で前記溝に嵌入可能な複数の接触片を有しており、
該複数の接触片のうち、前記溝の前記係合部が設けられている内壁に外周面を接する接触片の外周面に、前記係合部に係合するように高さが変化する高さ変化部が設けられていることを特徴とする。
【発明の効果】
【００２７】  このように、本発明の請求項１の額縁では、押さえ部材の一端側に設けられた係止部は、枠状の本体部を構成する枠材の背面側に長さ方向に沿って形成された溝の対向する内壁に外周面が押されて弾性変形して溝に嵌入する構造であるから、従来のようなネジ止め作業のバラツキにより生じる押さえ部材のがたつきや脱落が生じにくい。【００２８】  また、展示対象物の厚さが変化する方向と、溝に対する係止部の弾性変形方向とが異なるから、展示対象物の厚さ変化に対して、本体部に対する押さえ部材の係止力への影響が少なくて済み、低コストな額縁を実現できる。【００２９】  また、本発明の請求項２の額縁では、溝が本体部を構成する枠材の全長にわたって連続的に形成されているので、裏板の押えに必要な任意の位置に任意の数の押さえ部材を装着でき、裏板の撓みやサイズの大きな額縁であっても、同一形状の押さえ部材で対応できる。【００３０】  また、本発明の請求項３の額縁では、押さえ部材の係止部が、溝の幅より広い間隔をもって互いに対向する２つの接触片と、その一端同士を連結する連結片とで略Ｕ字状に折り返された形状を有し、その２つの接触片の外周面の間隔が弾性変形により溝の幅より狭くなる方向に弾性変形して溝に嵌入されるようになっており、さらに、規制部は、２つの接触片のうちの一方の接触片の他端側から他方の接触片の他端側の延長線と交差する方向に延設されている。【００３１】  このため、押さえ部材の規制部が裏板の背面側と重なり合う向きで係止部を溝に嵌入した状態で、裏板を背面側に押す方向の力が付与された場合、その力を規制部の一端側で受けた押さえ部材の係止部の２つの接触片のうち、裏板からみて遠い方の接触片は、溝の内壁に対してより強く接触する方向に押されるので、係止部が溝から抜ける恐れが少なく、本体部に対して安定に係止できる。【００３２】  また、本発明の請求項４の額縁では、溝に嵌入可能な係止部が一端側に設けられた壁掛け部材を備えているので、押さえ部材だけでなく、壁掛け部材もこの溝を共通に用いて係止でき、本体部側に壁掛け部材取付用の機構を別個に設ける必要がない。【００３３】  また、本発明の請求項６の額縁では、溝に嵌入可能な係止部が一端側に設けられたスタンドを備えているので、押さえ部材だけでなく、スタンドもこの溝を共通に用いて係止でき、本体部側にスタンド取付用の係止機構を別個に設ける必要がない。【００３４】  また、本発明の請求項５および請求項７の額縁のように、壁掛け部材あるいはスタンドの係止部を、溝の内壁にほぼ隙間の無い状態で深く嵌入される主接触片と、溝の内壁に押されて弾性変形し、その復帰力で抜け方向の移動を規制する副接触片とで構成しているので、本体部に対する壁掛け部材あるいはスタンドの係止力を十分高くでき、額縁を壁面あるいは卓上面に安定に設置できる。【００３５】  また、本発明の請求項８の額縁のように、押さえ部材の係止部の一方の接触片の外周面に高さが局所的に増加する高さ変化部を設け、その高さ変化部の溝の内壁に対する当接により、溝に対する押さえ部材の係止を保持するものでは、押さえ部材の２つの接触片の弾性復帰力を高さ変化部の先端に集中させて溝の壁面に強く当接させることができ、溝に対して押さえ部材をより安定に係止できる。【００３６】  また、本発明の請求項９の額縁のように、押さえ部材の係止部の一方の接触片の外周面に高さが局所的に変化する高さ変化部を設け、溝の内壁に押さえ部材の一方の接触片に設けられた高さ変化部と係合するように壁面の高さが変化する係合部を設け、高さ変化部と係合部との係合により、溝に対する押さえ部材の係止を保持するものでは、高さ変化部と係合部との係合により、押さえ部材が溝から抜ける方向の移動を規制するので、さらに確実に押さえ部材を係止できる。【００３７】  また、本発明の請求項１０の額縁のように、壁掛け部材の係止部の接触片の外周面に、溝の内壁に設けられた係合部に係合するように高さが変化する高さ変化部を設けたものでは、壁掛け部材の溝からの抜けを確実に防止できる。【００３８】  また、本発明の請求項１１の額縁のように、スタンドの係止部の接触片の外周面に、溝の内壁に設けられた係合部に係合するように高さが変化する高さ変化部を設けたものでは、スタンドの溝からの抜けを確実に防止できる。
【図面の簡単な説明】
【００３９】
【図１】  本発明の実施形態を背面側からみた図
【図２】  本発明の実施形態の一部の分解図
【図３】  本発明の実施形態の押さえ部材の拡大図
【図４】  本発明の実施形態の押さえ部材の取付作業を示す図
【図５】  本発明の実施形態の壁掛け部材の拡大図
【図６】  本発明の実施形態の壁掛け部材の取付作業を示す図
【図７】  本発明の実施形態を壁に掛けた状態を示す図
【図８】  本発明の他の実施形態の一部分解図
【図９】  本発明の他の実施形態のスタンドの要部拡大図
【図１０】  本発明の他の実施形態のスタンドの取付作業を示す図
【図１１】  本発明の他の実施形態を背面側からみた図
【図１２】  本発明の他の実施形態を卓上に置いた状態を側面側から見た概略図
【図１３】  本発明の他の実施形態の押さえ部材の一例を示す図
【図１４】  本発明の他の実施形態の押さえ部材とそれに対応する溝の係合部の例を示す図
【図１５】  本発明の他の実施形態の押さえ部材を係合部の無い溝に取付けた状態を示す図
【図１６】  本発明の他の実施形態の押さえ部材の変形例を示す図
【図１７】  本発明の他の実施形態の押さえ部材の高さ変化部と溝の係合部の凹凸関係を反転させた例を示す図
【図１８】  本発明の他の実施形態の押さえ部材の高さ変化部を複数設けた例を示す図
【図１９】  本発明の他の実施形態の押さえ部材の高さ変化部に対して複数の係合部を溝に設けた例を示す図
【図２０】  本発明の他の実施形態の溝に壁掛け部材を挿着した状態を示す図
【図２１】  本発明の他の実施形態の溝にスタンドを挿着した状態を示す図
【図２２】  溝の係合部に対応した本発明の他の実施形態の壁掛け部材の一例を示す図
【図２３】  本発明の他の実施形態の壁掛け部材を溝に取り付ける際の操作を示す図
【図２４】  溝の係合部に対応した本発明の他の実施形態のスタンドの一例を示す図
【図２５】  本発明の他の実施形態のスタンドを溝に取り付ける際の操作を示す図
【図２６】  従来技術の概略図
【図２７】  従来技術の概略図
【発明を実施するための形態】
【００４０】  以下、図面に基づいて本発明の実施の形態を説明する。
図１は、本発明を適用した額縁２０を背面側から見た図、図２は、額縁２０の一部を分解した状態を背面側からみた図である。
【００４１】  これらの図に示しているように、実施形態の額縁２０は、長方形の中空枠状に形成された本体部２１、ほぼ同一外形を有し、展示対象物１を挟むようにして重ね合わされた状態で本体部２１に背面側から受け入れられる透明板３０および裏板４０、裏板４０の背面方向への移動を規制する押さえ部材５０、額縁２０を壁に掛ける際に用いる壁掛け部材６０を有している。透明板３０は、展示対象物１の表面を保護するためのものであり、ガラスやアクリル、プラスック等で形成される。裏板４０は、展示対象物１に撓みを与えない程度の固さを有する合板、厚紙、プラスック板等で形成される。
【００４２】  上記のような長方形の額縁を構成する枠状の本体部の構造としては、額縁全体の広さを有する木製の板材の中央部を切削加工により削除したり、合成樹脂の射出成形等により、４つの枠材の端同士が予め連結された状態で長方形の枠状に型抜きされた一体成形品と、予め切り離された４本の枠材の端同士を連結加工して長方形の枠状に組んだ組立品とがある。
【００４３】  実施形態の本体部２１は上記いずれの工法で構成したものであってもよいが、ここでは、製造コストの点で広く採用されている後者の工法、即ち、同一断面形状で押し出し成形された木製の長尺材を、額縁の４辺に必要な長さに切り出してその両端を４５度の角度でカットしたものを枠材とし、それらの枠材の端同士を連結することで長方形の枠状に組んだ組立品とする。なお、本発明では、組立品に限らず、一体成形品の場合も、本体部の縁となる部分を枠材と呼ぶ。また、以下の説明では、額縁を構成する部材の各部についての寸法例を記載するが、この寸法は一例であり、額縁のサイズ等に応じて種々変更可能とする。
【００４４】  図１、図２に示しているように、本体部２１は、同一断面形状の４本の枠材２２〜２５の端同士を接合して長方形の枠状に構成したものであり、各枠材２２〜２５の背面２２ａ〜２５ａに近い部分の幅は一定（例えば１５ｍｍ程度）で、前面に近い位置には、内方に所定量（例えば５ｍｍ程度）突出する段部２６ａ〜２６ｄ（段部２６ａについては図６を参照、段部２６ｄは図示せず）が設けられている。この段部２６ａ〜２６ｄが、背面側から受け入れた透明板３０および裏板４０の外縁前面と重なりあって、それらの前方の移動を規制し、展示対象物１の表面側を本体部２１の前面側から視認できる状態にする。
【００４５】  本体部２１の枠材２２〜２５の背面２２ａ〜２５ａでその内縁寄りの位置（例えば３ｍｍ離れた位置）には、前面側を深さ方向とし、一定幅Ｗ（例えばＷ＝３ｍｍ）でその幅Ｗより大きな深さＤ（例えばＤ＝７ｍｍ）の溝２８ａ〜２８ｄが各枠材２２〜２５の長さ方向に沿ってその全長にわたって連続的に形成されている（溝２８ａ〜２８ｄの幅Ｗ、深さＤについては図４の断面形状を参照）。
【００４６】  これらの溝２８ａ〜２８ｄには、裏板４０の背面方向への移動を規制するための押さえ部材５０が係止されている。
【００４７】  押さえ部材５０は、弾性変形可能な合成樹脂材（例えば、ポリカーボネート材）、金属板等により形成され、図３に示しているように、係止部５１、規制部５２、着脱用ノブ５３を有している。なお、以下の説明の寸法例は、合成樹脂材の中でも比較的弾性変形量が大きくとれるポリカーボネート材で構成した押さえ部材５０を上記した枠材や溝の寸法例に対応させたものであり、これらの寸法や押さえ部材５０の材質が異なる場合、それに合わせて各部の寸法を変更すればよい。
【００４８】  係止部５１は、所定の幅（例えば８ｍｍ程度）と厚さ（例えば１ｍｍ程度）の帯状板を略Ｕ字状に折り返し成形したものであり、互いに対向する２つの接触片５１ａ、５１ｂおよびこれら２つの接触片５１ａ、５１ｂの先端同士を連結する連結片５１ｃとを有している。ここで、図３の（ｂ）に示しているように、一方の接触片５１ａの長さＬａは、溝の深さＤより若干長く（例えば１０ｍｍ程度）、他方の接触片５１ｂの長さＬｂは、溝の深さＤと同程度で溝幅Ｗより十分長く（例えば６〜７ｍｍ程度）設定されている。
【００４９】  また、２つの接触片５１ａ、５１ｂの外周面間の連結片５１ａ側での間隔Ｗａは、溝幅Ｗより僅かに狭く（例えば２．９ｍｍ）、接触片５１ｂの自由端側での間隔Ｗｂは、溝幅Ｗより若干広く（例えば４ｍｍ）設定されており、接触片５１ｂの自由端側の間隔Ｗｂが溝幅Ｗより狭くなるように弾性変形でき、且つその復帰力により溝内壁に対して大きな摩擦力が生じるように、厚さ、幅の寸法や材質が設定されている。
【００５０】  また、規制部５２は、係止部５１が溝２８ａ〜２８ｄに嵌入された状態で係止部５１から裏板４０の背面に重なり合う位置まで延設され、その長さ方向と直交する方向に湾曲（弾性変形）するように形成され、その先端部で裏板４０の背面に接触して裏板４０の背面側への移動を規制する。
【００５１】  より具体的にいえば、規制部５２は、係止部５１の長い方の接触片５１ａの端部から、接触片５１ａと同じ幅をもって短い方の接触片５１ｂの自由端側の延長線と交差する方向に帯状に延設され、その先端側には、裏板４０の背面に接触させる突起５２ａが設けられている。この規制部５２の厚さ、幅、長さは、展示対象物１の厚さの数ミリ程度の違いに対して十分な適応可能な弾性変形量を有するように設定されている。例えば、押さえ部材５０をポリカーボネート材で形成した場合、前記した枠材２２〜２５に対する各溝２８ａ〜２８ｄの位置、幅Ｗ、深さＤ、係止部５１の寸法例に対し、規制部５２の厚さ０．７５ｍｍ、幅８ｍｍ、長さ１３ｍｍ、突起５２ａの突出長３ｍｍとして、先端側で３ｍｍ以上の厚さ変化に十分対応できることが確認されている。
【００５２】  また、着脱用ノブ５３は、係止部５１の接触片５１ａの端部から同一幅で連続するように延長され、その先端部に幅広部５３ａが設けられて全体としてＴ字形に形成されていて、この幅広部５３ａを指でつまんで押し引きすることで、溝に対する押さえ部材５０の着脱操作が容易になる。着脱用ノブ５３の形状は上記のようなＴ字形に限らず、例えば、逆Ｌ字形、逆三角形、円筒形、球形等を含め、先端側がつまみやすい形状で押し引き操作がしやすいものであれば任意である。
【００５３】  図４は、押さえ部材５０を一つの枠材の溝（ここでは枠材２３の溝２８ｂとする）に装着する場合の作業を示すものであり、着脱用ノブ５３を利用して、図４の（ａ）のように、押さえ部材５０の係止部５１の先端側を幅Ｗの溝２８ｂに押し込むと、接触片５１ａ、５１ｂの外周面の間隔が狭まるように弾性変形して、図４の（ｂ）のように、溝２８ｂの内部に嵌まり、その弾性復帰力により溝２８ｂの両内壁に接触片５１ａ、５１ｂの外周面が深い位置まで接触し、その摩擦力により本体部２１に対して必要十分な係止力を与える。この状態で、規制部５２の先端の突起５２ａが、裏板４０の背面に接触し、裏板４０の背面側への移動を規制する。他の枠材２２、２４、２５の溝２８ａ、２８ｃ、２８ｄに対する押さえ部材５０の装着作業も同様であり、図１に示しているように、各枠材２２〜２５にそれぞれ１つずつ押さえ部材５０を用いることで、裏板４０の４辺の縁部を前方に押した状態を安定に保持できる。なお、各溝２８ａ〜２８ｄは、枠材の全長にわたって連続しているから、各押さえ部材５０の取付位置は任意に選ぶことができ、また、サイズの大きい額縁の場合、長い枠材に設けた溝に複数個の押さえ部材５０を取付ることで対応できる。
【００５４】  このように、押さえ部材５０の一端側に形成された係止部５１を、枠状の本体部２１を構成する枠材２２〜２５の背面側にその長さ方向に沿って形成された溝２８ａ〜２８ｄの両内壁に接するように弾性変形させて嵌入させるという、単純な嵌め込み作業で本体部２１に対して安定に押さえ部材５０を係止させることができ、従来のようなネジ止め作業の工数によるコスト高や、その作業のバラツキにより生じる押さえ部材のがたつきや脱落が発生しにくくなる。
【００５５】  また、展示対象物１の厚さの変化方向と、溝２８ａ〜２８ｄに嵌入する係止部５１の弾性変形の方向がほぼ直交しているから、展示対象物１の厚さの変化による本体部２１に対する押さえ部材５０の係止力への直接的な影響が少なくて済み、複数枚の裏板を用意したり、弾性変形量の大きい大型の押さえ部材を用いなくて済み、低コストな額縁を実現できる。
【００５６】  なお、この実施形態の押さえ部材５０では、溝２８ａ〜２８ｄの内壁にそれぞれの外周面を接触させた状態で嵌入される係止部５１の二つの接触片５１ａ、５１ｂのうち、裏板４０からみて遠い方の接触片５１ａ側から近い方の接触片５１ｂの自由端の延長線と交差する方向に延設した規制部５２により、裏板４０の背面側への移動を規制している。
【００５７】  このため、図４の（ｂ）に示しているように、押さえ部材５０の規制部５２が裏板４０の背面側と重なり合う向きで係止部５１を溝２８ｂに嵌入した状態で、裏板４０を背面側に押す方向の力Ｆが付与された場合、その力Ｆは、規制部５２の先端側に時計回りの力Ｆ′として作用し、その時計回りの力Ｆ′の一部が、裏板４０からみて遠い方の接触片５１ａを枠材２３の外側に押す方向の力Ｆ″として伝達されることになる。したがって、接触片５１ａの外周面は、溝２８ｂの内壁に対してより強い力で接触することになるから、係止部５１が溝２８ｂから抜ける恐れが少なく、本体部２１に対する係止力がより高くなる。
【００５８】  なお、図示しないが、このとき、接触片５１ａの先端（図では下端）には時計回りの力が発生し、この力が連結片５１ｃを介して接触片５１ｂを溝２８ｂから抜ける方向に作用するが、この力は、溝幅Ｗに比べて各接触片５１ａ、５１ｂの溝２８ｂへの深さ方向の進入寸法が十分大きいことにより大幅に軽減され、係止部５１が溝２８ｂから抜ける恐れは少ない。つまり、この実施形態のように、係止部５１の２つの接触片５１ａ、５１ｂの溝に対する深さ方向の進入寸法を溝幅Ｗに対して十分大きくすることで、本体部２１に対する押さえ部材５０の係止力をより大きくできる。なお、押さえ部材５０の溝に対する係止力は、溝の幅と接触片の進入寸法だけでなく、溝の内壁と接触片５１ａ、５１ｂとの接触面積にも依存するから、接触片幅（前記例では８ｍｍ）をより広く（例えば１０ｍｍ以上）すればさらに有利となる。
【００５９】  一方、壁掛け部材６０は、壁面に予め取り付けられたフックに額縁２０を掛け止めする為のものであり、従来は、展示対象物を含めた額縁全体の重量が掛かるので壁掛け部材としてもネジ止め方式のものが使用されていたが、この実施形態では、本体部２１の枠材２２〜２５の背面に形成された溝２８ａ〜２８ｄのうち、展示対象物１の展示の向き（縦向き、横向き）を考慮して利用者が任意に選択したいずれかの溝の内壁の広い領域に接するように形成した壁掛け部材６０を嵌入させることで、予めネジ止め作業をしないでも、比較的重量のある額縁を壁に掛けられるようにしている。
【００６０】  この実施形態の壁掛け部材６０は、押さえ部材５０と同様に、合成樹脂材（例えばアクリル材）あるいは金属材により一体形成されており、図５の（ａ）およびそれを矢印Ｂ方向からみた図５の（ｂ）に示しているように、展示対象物１を含めた額縁全体の重量に対処できるような広い幅で略Ｌ字状に屈曲形成された基部６１と、基部６１の一端から溝２８ａ〜２８ｄの深さＤとほぼ同じ長さで延設され、溝２８ａ〜２８ｄの内壁に外周面を接するようにして溝内に嵌入される係止部６２と、基部６１の他端側から係止部６２と直交する方向に延設されたフックガイド６７とを有している。なお、以下の説明の寸法例は、合成樹脂材の中でも比較的硬質のアクリル材で構成した壁掛け部材６０を各溝２８ａ〜２８ｄの寸法例に対応させたものであり、溝の寸法や壁掛け部材６０の材質が異なる場合、それに合わせて各部の寸法を変更すればよい。
【００６１】  係止部６２は、基部６１の一端側の中央から延設された主接触片６３と、その主接触片６３の両側に並ぶようにして延設された副接触片６４、６５により形成されている。係止部６２が設けられている基部６１の一端側の長さは、壁面に予め取り付けられたフックの先を受け入れる為の空間を確保するための長さ（例えば５〜７ｍｍ）に設定されている。
【００６２】  主接触片６３の幅は、溝幅Ｗに対して十分広く（例えば１５ｍｍ）、長さは、溝２８ａ〜２８ｄの深さとほぼ等しく（例えば７〜８ｍｍ）、厚さは溝幅Ｗとほぼ等しく（厳密には嵌入可能なように溝幅Ｗより僅かに薄く）設定されていて、そのほぼ両面が溝の両内壁に広い範囲で接して隙間のない状態で溝の奥まできつく嵌入される。
【００６３】  また、副接触片６４、６５の幅は主接触片６３の幅より狭く（例えば５ｍｍ）、一面側（図５で上面側）は主接触片６３の一面側とほぼ面一で、厚さは主接触片６３より薄く（例えば１ｍｍ）形成されていて、先端側が厚さ方向に弾性変形可能になっており、その一面側先端には、厚さ方向に僅か（例えば０．５ｍｍ）に突出する突状部６４ａ、６５ａが形成されている。副接触片６４、６５の先端位置は、溝の奥に接触して厚さ方向の弾性変形に影響を与えないように、主接触片６３の先端位置より僅か（例えば０．５ｍｍ）に後退している。
【００６４】  この壁掛け部材６０を、例えば、本体部２１の枠材２２の溝２８ａに取り付ける場合、図６の（ａ）のように係止部６２を溝２８ａに差し込むことで、図６の（ｂ）のように、主接触片６３の両面が本体部２１の溝２８ａの対向する両内壁の広い範囲にほぼ隙間の無い状態で接してきつく嵌入する。このとき、両側の副接触片６４、６５の先端の突状部６４ａ、６５ａが溝２８ａの一方の内壁に押されて溝２８ａの内側に弾性変形しつつ溝の奥に進入し、その復帰力により、抜け方向の移動を規制する。したがって、本体部２１に対し、額縁全体の荷重に耐えうる十分な力で壁掛け部材６０を係止できる。
【００６５】  一方、基部６１の他端側から外形略矩形状に延設されたフックカイド６７には、先端側から基部６１側に向かって山形となる切欠部６７ａが形成されている。フックガイド６７は、図７に示しているように、壁面１０に予め取り付けられたフック１１の先を切欠部６７ａの円弧状の頂部までガイドし、額縁２０を壁面１０に掛けた状態で保持させる。
【００６６】  なお、この実施形態の壁掛け部材６０の係止部６２には、主接触片６３の両側に副接触片６４、６５が設けられていたが、一方の副接触片だけにしてもよく、逆に、一つの副主接触片の両側に主接触片を横並びに設けてもよい。
【００６７】  実際にこの額縁２０を用いて、写真、賞状、絵などの展示対象物を壁面に展示する場合には、図２に示したように、透明板３０、展示対象物１、裏板４０の順に本体部２１の背面側から装着した後、図１のように、各押さえ部材５０の係止部５１を、規制部５２の先端側が裏板４０の背面と重なり合う向きで、本体部２１の溝２８ａ〜２８ｄに嵌入し、その溝２８ａ〜２８ｄのうち、額縁上辺となる枠材２２に設けられた溝（この例では溝２８ａ）のほぼ中央に、壁掛け部材６０の係止部６２を嵌入すればよい。
【００６８】  なお、押さえ部材５０は、４つの溝２８ａ〜２８ｄのそれぞれに一つずつ嵌める方法だけでなく、枠材のうち長い方の枠材にはそれぞれ２つ、短い方の枠材にはそれぞれ一つを嵌める方法でもよい。また、溝２８ａ〜２８ｄは、枠材２２〜２５の全長に渡って連続的に設けられているから、押さえ部材５０を嵌める位置や数についても、裏板４０の本体部２１からの外れが生じない範囲で任意に決めることができる。
【００６９】  このように、実施形態の額縁２０は、本体部２１を構成する枠材２２〜２５の背面側に枠材の長さ方向に沿った溝２８ａ〜２８ｄを設け、その溝２８ａ〜２８ｄの両内壁に弾性復帰力により外周面を接触させた状態で嵌入される係止部５１と、溝２８ａ〜２８ｄに嵌入された係止部５１から裏板４０と重なる位置まで延設された規制部５２と有する押さえ部材５０を用いて、裏板４０の背面側への移動を規制している。
【００７０】  このため、押さえ部材５０の一端側の係止部５１を、本体部２１を構成する枠材２２〜２５の背面側に形成された溝２８ａ〜２８ｄの両内壁に接するように弾性変形させて嵌入させるという、単純な嵌め込み作業で本体部２１に対して安定に係止させることができ、従来のようなネジ止め作業の工数によるコスト高や、その作業のバラツキにより生じる押さえ部材のがたつきや脱落が発生しにくくなる。
【００７１】  また、展示対象物１の厚さの変化方向と押さえ部材５０の係止部５１の接触片５１ａ、５１ｂの弾性変形の方向とが異なる（この例ではほぼ直交する）から、展示対象物１の厚さの変化による本体部２１に対する押さえ部材５０の係止力へ直接的な影響が少なくて済み、裏板を不要に多くしたり、弾性変形量の大きな大型の押さえ部材を用いる必要がなくなり、低コストな額縁を実現できる。
【００７２】  また、この実施形態の額縁２０では、基部６１の一端側に溝２８ａ〜２８ｄに嵌入可能な係止部６２が延設され、他端側にフックガイド６７が延設された壁掛け部材６０を備えているので、押さえ部材５０だけでなく、額縁を壁面に掛け止めする為の壁掛け部材６０もこの溝２８ａ〜２８ｄを共通に用いて係止でき、本体部２１側に壁掛け部材取付用の機構を別個に設ける必要がなく、この点においても低コスト化が可能である。
【００７３】  前記実施形態の額縁２０は、本体部２１の背面側に設けた溝２８ａ〜２８ｄに一端側を嵌入させた壁掛け部材６０を用いて、壁に掛けて使用する場合の構成例であったが、壁掛け部材６０の代わりに、図８に示すように、溝２８ａ〜２８ｄの一つに一端側を嵌入させたスタンド７０を用いて、卓上面に置いて使用する構成例も考えられる。
【００７４】  このスタンド７０は、壁掛け部材６０と同様に、合成樹脂材（例えばアクリル材）や金属材などで一体成形され、溝幅Ｗより広い厚さ（例えば５ｍｍ）を有する基部７１と、基部７１の一端から溝２８ａ〜２８ｄの深さＤとほぼ等しい長さをもって突設され、溝２８ａ〜２８ｄの内壁に外周面を接するようにして溝内に奥深く嵌入される係止部７２と、基部７１の他端側に突設された脚部７７とを有している。なお、以下の説明の寸法例は、壁掛け部材６０の場合と同様に、合成樹脂材の中でも比較的硬質のアクリル材で構成したスタンド７０を各溝２８ａ〜２８ｄの寸法例に対応させたものであり、溝の寸法やスタンド７０の材質が異なる場合、それに合わせて各部の寸法を変更すればよい。
【００７５】  係止部７２は、基部７１の一端側の中央に突設された主接触片７３と、その主接触片７３の両側に並ぶようにして突設された副接触片７４、７５により形成されている。なお、このように、本体部２１の枠材の背面側に形成された縦方向の溝に一端側の係止部７２を嵌めて他端側を卓上に接するようにして用いるスタンド７０の場合、本体部２１に対する上からの荷重は、係止部７２を溝から抜く方向に直接的に作用するので、本体部２１に対する係止部７２の係止力は、壁掛け部材６０の場合よりさらに高くする必要があり、そのために、スタンド７０の係止部７２の各部の幅は、壁掛け部材６０の係止部６２より大きく設定されている。
【００７６】  主接触片７３の幅は溝幅Ｗに対して十分広く（例えば２０ｍｍ）、長さは溝の深さＤと等しいか僅かに短く（例えば６〜７ｍｍ）、厚さは溝幅Ｗとほぼ等しく（厳密には嵌入可能なように溝幅Ｗより僅かに薄い）設定され、その両面が溝の両内壁に広い範囲で接してほぼ隙間のない状態で基部７１が枠材背面に当接するまで深く且つきつく嵌入される。
【００７７】  また、副接触片７４、７５の幅は、主接触片７３の幅より狭く（例えば７ｍｍ）設定され、一面側は主接触片７３の一面側とほぼ面一で、厚さは主接触片７３より薄く（例えば１ｍｍ）形成されていて先端側が厚さ方向に弾性変形可能となっており、その一面側先端には、厚さ方向に僅か（例えば０．５ｍｍ）に突出する突状部７４ａ、７５ａが形成されている。副接触片７４、７５の先端位置は、溝の奥に接触して厚さ方向の弾性変形に影響を与えないように、主接触片７３の先端位置より僅か（例えば０．５ｍｍ）に後退している。
【００７８】  また、脚部７７は、係止部７２の突出方向に対して所定角度（例えば４５度）をもって基部７１から所定長（例えば１００〜１２０ｍｍ程度）延び、卓上面に接する箇所である先端側下縁は円弧状に形成されている。
【００７９】  図１０、図１１に一例を示すように、このスタンド７０の係止部７２を、展示の際に縦方向となる一つの枠材の溝（例えば枠材２３の溝２８ｂ）に差込むことで、主接触片７３の両面が本体部２１の溝２８ｂの内壁の広い範囲にほぼ隙間の無い状態で接した状態できつく嵌入させることができる。その際、図１０に示しているように、両側の副接触片７４、７５の先端の突状部７４ａ、７５ａが溝の一方の内壁に押されて溝の内側に弾性変形しつつ溝の奥に進入するので、その復帰力により、抜け方向の移動が規制された状態となる。
【００８０】  これにより、図１２に示すように、額縁２０の下辺側の枠材２４の下縁と、スタンド７０の脚部７７の先端側下縁とが卓上面１３に接した状態で、額縁２０を傾けた状態に置くことができる。なお、スタンド７０の係止部７２の溝２８ｂに対する嵌入位置を下にずらせば、図１２の（ａ）のように卓上面１３に対する額縁２０の傾き角αを小さくでき、逆にスタンド７０の係止部７２の溝２８ｂに対する嵌入位置を上にずらせば、図１２の（ｂ）のように卓上面１３に対する額縁２０の傾き角αを大きくできる。
【００８１】  この実施形態でも、溝２８ａ〜２８ｄに嵌入可能な係止部７２が一端側に設けられたスタンド７０を備えているので、押さえ部材５０だけでなく、額縁２０を卓上面に置く為のスタンド７０もこの溝２８ａ〜２８ｄを共通に用いて係止でき、本体部２１側にスタンド取付用の機構を別個に設ける必要がなく、この点においても低コスト化が可能である。
【００８２】  なお、この実施形態のスタンド７０の係止部７２には、主接触片７３の両側に副接触片７４、７５が設けられていたが、壁掛け部材６０の係止部６２についても述べたように、一方の副接触片だけにしてもよく、逆に、一つの副接触片の両側に主接触片を横並びに設けてもよい。
【００８３】  上記実施形態では、本体部２１、透明板３０、裏板４０、押さえ部材５０に壁掛け部材６０を加えた構成例と、本体部２１、透明板３０、裏板４０、押さえ部材５０にスタンド７０を加えた構成例とを区別して説明したが、一つの製品単位として、本体部２１、透明板３０、裏板４０、複数の押さえ部材５０、壁掛け部材６０およびスタンド７０を１セットとして販売すれば、購入者が壁掛け用、卓上用のいずれにも使用することができる。
【００８４】  また、上記実施形態では、本体部２１を構成する全ての枠材２２〜２５の背面側に設けた溝２８ａ〜２８ｄに対して、押さえ部材５０、壁掛け部材６０およびスタンド７０を係止できるようにしているので、押さえ部材５０だけでなく、従来、ネジ止め作業で固定していた壁掛け部材やスタンドに対する製造者側の作業工数を大幅に減らすことができ、大幅なコストダウンが可能となる。
【００８５】  なお、本体部２１の外形およびその工法は、上記実施形態に限らず任意である。例えば、外形としては、前記した長方形以外に正方形、３角形、菱形、５角形、６角形、円形、楕円形、半円形等であってもよく、本体部２１の工法についても、前記した一体成形品、組立て品のいずれでもよい。また、前記実施形態で示した押さえ部材５０、壁掛け部材６０およびスタンド７０の形状についても本発明の要旨を逸脱しない範囲で種々変更が可能であり、前記した構造に限定されるものではない。
【００８６】  また、前記実施形態では、本体部を構成する枠材の背面に設ける溝の断面形状として底面が平坦な矩形の例を示したが、溝の断面形状は、溝幅Ｗより深さＤが大きく、押さえ部材の係止部の嵌入作業が容易な形状であれば任意である。ただし、コスト面を考慮して、型抜きを低コストで行なえる単純な形状（例えば底面を逆三角形や円弧状とする）にとどめておくことが望ましい。
【００８７】  また、前記実施形態では、押さえ部材５０の係止部５１の一方の接触片５１ａの外周面が全長にわたって平坦でその高さが一定の例を示したが、外周面の高さが局所的に変化する高さ変化部を設け、その高さ変化部が、枠材２２〜２５に設けられた溝２８ａ〜２８ｄの裏板から遠い方の外寄りの内壁に当接または係合することで、溝２８ａ〜２８ｄに対する押さえ部材５０の係合をより安定に維持することも可能である。
【００８８】  図１３の（ａ）、（ｂ）は、その一例の押さえ部材５０′を示すものであり、その係止部５１の一方の接触片５１ａの外周面の中段部（溝の内部まで進入する位置）に、高さが局所的に増加する高さ変化部５５を設けている。この高さ変化部５５は、断面形状がほぼ半円で接触片５１ａの幅いっぱいに連続する半円柱形に形成されている。
【００８９】  これに対し、枠材２２〜２５の背面に設けられた各溝２８ａ〜２８ｄの内壁（裏板から遠い方の外寄りの内壁）には、図１４の（ａ）に示すように、押さえ部材５０′の一方の接触片５１ａに突設されている高さ変化部５５を受け入れ、押さえ部材５０′の係止部５１が溝２８ａから抜ける方向の移動を規制する凹状の係合部２９が枠材２２〜２５の長さ方向に沿って連続的に設けられている（図示しないが、溝２８ｂ〜２８ｃの外寄りの内壁にも同様の係合部２９が設けられている）。
【００９０】  図１４の（ａ）に示しているように、この溝２８ａに対し、押さえ部材５０′の係止部５１を挿入すると、高さ変化部５５の下端部が溝２８ａの開口縁に当接するが、押さえ部材５０′をさらに押し込むと、接触片５１ａ、５１ｂの間隔が弾性変形により狭まり、高さ変化部５５が、その円弧状の外周を溝２８ａの開口縁に接しながら溝２８ａの内部に進入し、図１４の（ｂ）のように、溝２８ａの外寄りの内壁に設けられた凹状の係合部２９に入り込んだ係合状態となる。
【００９１】  この係合状態で、接触片５１ａが溝２８ａから抜ける方向の移動は係合部２９の上縁により規制されるから、押さえ部材５０′をより確実に本体部２１に係止することができる。また、この係合状態から、押さえ部材５０′に対し、接触片５１ａが接触片５１ｂに近づく方向の力を与えながら引き抜くことで、高さ変化部５５と係合部２９との係合を解除でき、押さえ部材５０′を外すことができる。
【００９２】  この実施例では、接触片５１ａの外周面の中段部に突設された高さ変化部５５を、溝２８ａ〜２８ｄの内壁に設けられた凹状の係合部２９に受け入れることで、押さえ部材５０′の溝２８ａ〜２８ｄからの抜けを防ぐようにしていたが、図１５に示すように、溝２８ａ側に係合部２９を設けずに、高さ変化部５５の先端を溝２８ａの内壁に当接させることでも、押さえ部材５０′の溝２８ａ〜２８ｄからの抜けを防ぐ効果はある。特に、押さえ部材５０′が例えばポリカーボネートや金属のような比較的硬い材質で、枠材２２〜２５が押さえ部材５０′より柔らかい木材のような材質であれば、押さえ部材５０′の係止部５１の弾性復帰力により、高さ変化部５５の先端が溝２８ａ〜２８ｄの内壁に僅かに食い込んで、押さえ部材５０′の溝２８ａ〜２８ｄからの抜けを防ぐ効果がより高くなる。
【００９３】  また、前記実施形態では、接触片５１ａの高さ変化部５５として、断面形状が半円状のものを示したが、その形状は任意であり、例えば、図１６の（ａ）、（ｂ）のように、断面形状が三角形や台形であってもよい。また、これらの例では、高さ変化部５５が、接触片５１ａの幅いっぱいに連続して形成されていたが、接触片５１ａの中段部の幅方向のいずれかの位置、例えば、接触片５１ａの外周面の中段部の幅方向の中央や端だけに部分的に高さ変化部を突設してもよい。
【００９４】  また、接触片５１ａに設ける高さ変化部５５と各溝２８ａ〜２８ｄの内壁に設ける係合部２９との凹凸関係は互いに反転させることもできる。即ち、図１７のように、接触片５１ａの外周面の中段部に高さが一段低くなる凹状の高さ変化部５５′を設け、各溝２８ａ〜２８ｄの外寄りの内壁には、その高さ変化部５５′に係合する高さをもつ例えば円弧状（前記した三角形状、台形状等でもよい）の係合部２９′を枠材の長さ方向に沿って突設させてもよい。
【００９５】  また、前記実施形態では、接触片５１ａの外周面の中段部に高さ変化部５５を一つだけ設けていたが、図１８のように、異なる複数（この例では二つ）の深さ位置に高さ変化部５５Ａ、５５Ｂを設けることで、溝２８ａに係止させる押さえ部材５０′の深さを段階的に切り換えることができる。即ち、図１８の（ａ）のように下段側の高さ変化部５５Ａを係合部２９に係合させた状態と、さらに押さえ部材５０′を押し込んで、図１８の（ｂ）のように上段側の高さ変化部５５Ｂも係合部２９に係合させた状態の二通りに切り換えることができ、展示対象物１の大幅な厚さ変化に対処可能となる。
【００９６】  また、この例においても、接触片５１ａ側に設ける高さ変化部と溝側に設ける係合部との数の関係を反転させてもよい。即ち、図１９の（ａ）、（ｂ）に示すように、接触片５１ａ側に一つの高さ変化部５５を突設し、溝２８ａ側には異なる複数（この例では２つ）の深さ位置に係合部２９Ａ、２９Ｂを設けることで、溝２８ａに係止させる押さえ部材５０′の深さを段階的に切り換えて、展示対象物１の大幅な厚さ変化に対応する。
【００９７】  上記した係合部２９、２９′を、各溝２８ａ〜２８ｄの外寄りの内壁に設けた場合でも、例えば図２０、図２１のように、前記構造の壁掛け部材６０やスタンド７０をそのまま使用することができる。ただし、ここでは、壁掛け部材６０およびスタンド７０の溝からの引抜き操作の際に、副接触片６４、６５、７４、７５の先端に突設された突状部６４ａ、６５ａ、７４ａ、７５ａが係合部２９に引っ掛からないように、その断面形状を台形状（２等辺三角形や円弧状等でもよい）にしている。
【００９８】  これに対し、上記した係合部２９、２９′を、各溝２８ａ〜２８ｄの外寄りの内壁に設ける場合に、壁掛け部材６０やスタンド７０の係止部６２、７２を構成する複数の接触片のうち、係合部２９、２９′が設けられた溝の内壁に接する接触片の外周面に、係合部２９、２９′に係合可能な高さ変化部を設け、溝からの抜けをより確実に防止することもできる。
【００９９】  例えば、図２２の壁掛け部材６０′のように、係合部の深さ位置に合わせて短く形成した副接触片６４′、６５′の外周面の先端部に断面形状が例えば台形（円弧や三角等でもよい）の高さ変化部６８を突設する。
【０１００】  この壁掛け部材６０′の係止部６２を、図２３の（ａ）のように、枠材２２の溝２８ａに挿入すると、主接触片６３に続いて副接触片６４′、６５′が溝２８ａに進入し、溝２８ａの壁面に押されて厚さ方向に弾性変形し、さらに奥に進んで主接触片６３が溝２８ａの奥まで達すると、図２３の（ｂ）のように、副接触片６４′、６５′の高さ変化部６８が係合部２９に係合するので、壁掛け部材６０′は、溝２８ａから抜ける方向の移動が規制された状態に保持される。
【０１０１】  また、図２４の（ａ）〜（ｃ）に要部を示すスタンド７０′のように、複数の接触片のうち、係合部の深さ位置に合わせて短く形成した二つの副接触片７４′、６５′の外周面の先端部に断面形状が例えば台形（円弧や三角等でもよい）の高さ変化部７８を突設する。
【０１０２】  このスタンド７０′の係止部７２を、図２５の（ａ）のように、枠材２３の溝２８ｂに挿入すると、主接触片７３に続いて副接触片７４′、７５′が溝２８ｂに進入し、溝２８ｂの壁面に押されて厚さ方向に弾性変形し、さらに奥に進んで主接触片７３が溝２８ｂの奥まで達すると、図２５の（ｂ）のように、副接触片７４′、７５′の高さ変化部７８が係合部２９に係合するので、スタンド７０′は、溝２８ｂから抜ける方向の移動が規制された状態に保持される。
【０１０３】  なお、これらの例の場合、溝２８ａ〜２８ｄに設ける係合部２９、２９′の壁面からの高さ変化が階段状であるから、溝への進入および引抜きの際に弾性変形しやすいように、高さ変化部６８、７８の断面形状として図示した台形状や、二等辺三角形や半円形のように両端から中央に向かって高さが漸増する傾斜形状にしているが、溝２８ａ〜２８ｄに設ける係合部２９、２９′の壁面からの変化を傾斜形状にした場合、高さ変化部６８、７８の基部側の形状を階段状にすることもできる。これは、押さえ部材５０′の高さ変化部５５、５５′と係合部２９、２９′との関係についても同様である。
【０１０４】  また、上記実施形態の壁掛け部材６０′やスタンド７０′では、その係止部が、溝の内壁両面に隙間の無い状態で挿入される主接触片と、一方の壁面に接触する状態で挿入される副接触片とで構成され、その副接触片に高さ変化部を設ける例について説明したが、溝の両内壁に接する複数の接触片を有し、その少なくとも一つが弾性変形可能な構造の係止部であれば、他の構造の壁掛け部材やスタンドであっても同様に適用できる。
【０１０５】  例えば、壁掛け部材やスタンドの係止部を、溝の内壁の一方の壁面だけに外周面を接する接触片と、他方の壁面だけに外周面を接する接触片とを有し、その両方の接触片が溝に挿入される際に厚さ方向に弾性変形できる構造とし、その一方の接触片の外周面に高さ変化部を設けたり、押さえ部材５０′のように、２つの接触片が連結片を介して折り返されるように連続し、両接触片の間隔が狭まるように弾性変形する構造にして、その一方の接触片の外周面に高さ変化部を設けることができる。
【０１０６】  また、前記したように、押さえ部材５０′の高さ変化部５５′のように、外周面の高さが凹状に変化する場合に対応して壁面からの高さが凸状に変化する係合部２９′である場合、壁掛け部材６０′やスタンド７０′に設ける高さ変化部も、係合部２９′に係合するように、外周面からの高さを局所的に減少変化させればよい。
させればよい。
【符号の説明】
【０１０７】  １……展示対象物、２０……額縁、２１……本体部、２２〜２５……枠材、２８ａ〜２８ｄ……溝、２９、２９′、２９Ａ、２９Ｂ……係合部、３０……透明板、４０……裏板、５０、５０′……押さえ部材、５１……係止部、５１ａ、５１ｂ……接触片、５１ｃ……連結片、５２……規制部、５３……着脱用ノブ、５５、５５′、５５Ａ、５５Ｂ……高さ変化部、６０、６０′……壁掛け部材、６１……基部、６２……係止部、６３……主接触片、６４、６４′、６５、６５′……副接触片、６７……フックガイド、６８……高さ変化部、７０、７０′……スタンド、７１……基部、７２……係止部、７３……主接触片、７４、７４′、７５、７５′……副接触片、７７……脚部、７８……高さ変化部
【図１】
2020093062.tif 000003
【図２】
2020093062.tif 000004
【図３】
2020093062.tif 000005
【図４】
2020093062.tif 000006
【図５】
2020093062.tif 000007
【図６】
2020093062.tif 000008
【図７】
2020093062.tif 000009
【図８】
2020093062.tif 000010
【図９】
2020093062.tif 000011
【図１０】
2020093062.tif 000012
【図１１】
2020093062.tif 000013
【図１２】
2020093062.tif 000014
【図１３】
2020093062.tif 000015
【図１４】
2020093062.tif 000016
【図１５】
2020093062.tif 000017
【図１６】
2020093062.tif 000018
【図１７】
2020093062.tif 000019
【図１８】
2020093062.tif 000020
【図１９】
2020093062.tif 000021
【図２０】
2020093062.tif 000022
【図２１】
2020093062.tif 000023
【図２２】
2020093062.tif 000024
【図２３】
2020093062.tif 000025
【図２４】
2020093062.tif 000026
【図２５】
2020093062.tif 000027
【図２６】
2020093062.tif 000028
【図２７】
2020093062.tif 000029